Podtech/llm-jp-corpus-v4-ja_patent huggingface dataset:
(57)【要約】      （修正有）【課題】流し台にてシンク底面から水がはねて、周囲が汚れてしまう不具合を解消できる水はね防止具を提供する。【解決手段】蛇口とシンクの間に、湾曲した整流板又は、斜めに配置した整流板を介する事により、水がはねにくい方向へと流れを変える。【選択図】図２
0003154719.tif 000002
【実用新案登録請求の範囲】
【請求項１】
落下する水を、水平よりも下方に落下させるために鈍角に反射する整流板と、水の逃げ
道を確保するための取り付け足が一体になった、水はね防止用具。
【考案の詳細な説明】
【技術分野】
【０００１】
本考案は、台所等での水はね防止器具に関する。
【背景技術】
【０００２】
水はね防止器具として従来からある物には、シンク（水槽）側面に板を貼り付ける物、
蛇口を泡沫吐水の物に交換するなどの方法があった。
【考案の概要】
【考案が解決しようとする課題】
【０００３】
上述の、板を貼り付けるタイプは手がぶつかる事もあるため作業性が悪く、板に付いた
水滴を拭き取る手間が必要であった。また、蛇口の変更はコストや交換の手間がかかる
等の欠点があった。
【課題を解決するための手段】
【０００４】
シンク底面に、湾曲又は斜めに配置された整流板（本考案の水はね防止用具）を置
き、水の流れをシンク底面に対し直角に近い状態から角度を浅く変化させる事で、
水のはね返りを防ぐ。
また、勢いよく底面に当たった水は隣の整流板により、再び底面に押し戻される。
【考案の効果】
【０００５】
シンク底面に置くだけで水はね防止効果が期待でき、台所仕事の邪魔にならない。また、
設置コストも安い。
【図面の簡単な説明】
【０００６】
【図１】水はね防止用具の平面図である。
【図２】水はね防止用具の断面図及び、水の流れを示すものである。
【図３】簡易版水はね防止用具の断面図及び、水の流れを示すものである。
【考案を実施するための形態】
【０００７】
図１は上から見たもので、外枠１と整流板３は一体となっていて、これに取り付け足４
が付いている。
【０００８】
整流板３の形状は、図２のような湾曲したものと、図３のように斜めに配置されたタイ
プがある。
【０００９】
必要に応じて補強２を設ける事もある。
【実施例】
【００１０】
図２、図３は水の流れ６を示しており、通常シンク５に対し直角に当たる水を、はね返
りが少なくなる様な角度に変化させる。又、シンク５に勢いよく当たった場合でも、隣
の整流板３により、再びシンク底面に押し戻される。
【００１１】
補強２は、本器具の上に鍋などの重量物を置いても破損しない様に、必要に応じて設け
る。尚、この部分での水はね防止効果はない。
【００１２】
取り付け足４は、整流板とシンクとの間に隙間を空け、水の逃げ道を確保すると共に、
本器具が不用意に移動しないため設ける。材質はクッション性があり、かつ滑りにくい
物が望ましい。
【符号の説明】
【００１３】
１  外枠
２  補強
３  整流板
４  取り付け足
５  シンク
６  水の流れ
【図１】
0003154719.tif 000003
【図２】
0003154719.tif 000004
【図３】
0003154719.tif 000005
(57)【要約】      （修正有）【課題】大がかりな工夫をすることなく自然と前傾姿勢になり、前進不足に起因した小便器外への尿漏れを防止できる小便器を提供する。【解決手段】便器の上面に、便器を貫通する覗き穴を設けたことを特徴とする。【選択図】図１
0003154740.tif 000002
【実用新案登録請求の範囲】
【請求項１】
便器の上面に、便器を貫通する覗き穴を設けたことを特徴とする小便器。
【考案の詳細な説明】
【技術分野】
【０００１】
本考案は、男性用の小便器に関する。
【背景技術】
【０００２】
男性用の小便器の使用に際し前進不足に起因した小便器外への尿漏れが従来より問題となっている。そしてこれまでに、この問題を解決して小便器外の汚れを防止するための工夫が多数考案されてきた。
例えば水洗のできない床に設置した小便器では、靴のマークの付いたマットを置いたり、ペット用のオシッコシートのようなものを置いたりしている（特許文献１等参照）。
【０００３】
また小便器の使用に際し前進不足を解消するため、便器の形状を子供の気を引くように、動物の形にしたり（特許文献２参照）、小便器の上方に両腕で寄りかかれる支えを設けるとともに便器の上面に窓を設け上から放尿の状態が確認できるような形状としたもの（特許文献３参照）が提案されている。
【０００４】
ところが特許文献２に提案された小便器では、便器が特注となるためコスト高となる欠点がある。また特許文献３に提案された小便器では、両腕で寄りかかれる支えの追加のため出費を必要とする。
さらに後者では、窓があるため下方が見やすく、放尿が容易に確認できるため、小便器の使用に際し前進不足を解消しきれない欠点があった。
【先行技術文献】
【特許文献】
【０００５】
【特許文献１】特開２００７−２２２３８６号公報
【特許文献２】実開平５−７７６９号公報
【特許文献３】実用新案登録第３１３３３５７号公報
【考案の開示】
【考案が解決しようとする課題】
【０００６】
したがって本考案は、大がかりな工夫をすることなく、自然と前傾姿勢になり、前進不足に起因した小便器外への尿漏れを防止できる小便器を提供することを課題とする。
【課題を解決するための手段】
【０００７】
上記課題は、便器の上面に、便器を貫通する覗き穴を設けたことを特徴とする小便器とすることにより解決される。
【考案の効果】
【０００８】
本考案によれば、小便器に大がかりな工夫をすることなく、前進不足に起因した小便器外への尿漏れを防止できる小便器が得られる。
【図面の簡単な説明】
【０００９】
【図１】本考案に係る小便器を説明するための概略図である。
【考案を実施するための形態】
【００１０】
本考案に係る小便器について、図面を参照して詳細に説明する。
図１は、本考案に係る小便器を示す概略図である。
図１に示す小便器では、便器の上面に、便器を貫通する覗き穴が２個設けられている。この穴は、穴の真上から覗かないと、放尿もしくは小便器の中に描いてあるターゲットのようなマークが確認できないような形状となっている。
【００１１】
そしてその穴を真上から覗くためには、自然と前傾姿勢になる。さらに目の前に覗き穴があると、特にやることの無い放尿時は、覗きたくなる。
特に子供などは、小便器の周りを汚しやすいが、好奇心も強いため、穴があれば覗くことになり、自然と一歩前に出て、用を足す習慣がつく。
【００１２】
本考案に係る小便器は、子供の多く居る学校や児童館、公園のトイレなどには特に向いている。
しかも既存の小便器の金型に少し細工をするだけで、便器を貫通する覗き穴が開いた小便器を生産することができるため、コストパフォーマンスが良い利点がある。
【００１３】
以上小便器について好ましい実施の形態を説明したが、本考案はこれらの例に限定されるものではなく、本考案の要旨を逸脱しない範囲内において適宜の変更が可能である。
例えば図１では覗き穴を２個設けたが、１個の楕円形の覗き穴としてもよい。また覗き穴の形状も円形・楕円形のみならず多角形等であってもよい。
要は覗き穴の真上から覗かないと、放尿もしくは小便器の中に描いてあるターゲットのようなマークが確認できないような形状であればよい。
【図１】
0003154740.tif 000003
(57)【要約】      （修正有）【課題】電気柵の裸電線を最適な高さに張設するための碍子を、最適な高さの位置に手間を掛けることなく容易に取り付けることができる電気柵用支柱を提供する。【解決手段】支柱２０の表面に碍子の取り付け位置を示す印３１〜３８を表示したことを特徴とする。支柱２０の先端から碍子の取り付け位置の距離を表示し、猪用としては支柱の先端からの距離を１０ｃｍ毎に表示する。【選択図】図１
0003154328.tif 000002
【実用新案登録請求の範囲】
【請求項１】
電気柵を構成する電気柵用支柱であって、支柱の表面に碍子の取り付け位置を示す印を表示したことを特徴とする電気柵用支柱。
【請求項２】
支柱の先端から碍子の取り付け位置の距離を表示したことを特徴とする請求項１記載の電気柵用支柱。
【請求項３】
支柱の先端から碍子の取り付け位置の距離を１０ｃｍ毎に表示したことを特徴とする請求項１又は２記載の電気柵用支柱。
【考案の詳細な説明】
【技術分野】
【０００１】
本考案は、牛等の畜産動物が牧場以外へ脱出するのを防止するため、あるいは田畑に猪、鹿等の害獣が侵入するのを防止するために、牧場あるいは田畑の周囲に設置される電気柵の支柱に関するものである。
【背景技術】
【０００２】
従来、例えば中山間地域の農村地帯では、田畑を荒らす猪、鹿等の害獣を電気ショックで撃退するために、田畑の周囲に裸電線を張り巡らしこの裸電線に衝撃電圧を印加するようにした電気柵が多く使用されている。電気柵の支柱には、碍子が間隔をおいて固定され、裸電線が係止されている（特許文献１参照）。
【０００３】
例えば、電気柵が猪用であれば、図３に示すように、田畑の周囲に打設された支柱２に取り付けられた碍子１ａ、碍子１ｂに裸電線３ａ、裸電線３ｂを係止して、裸電線３ａ、裸電線３ｂを田畑の周囲に張設し、その裸電線３ａ、裸電線３ｂを約５０ｍごとに裸電線からなる上下結線４で結線される。
【０００４】
地表より１段目の裸電線３ｂは地表より約２０ｃｍ程度、２段目の裸電線３ａは裸電線３ｂの上方約２０ｃｍ程度の位置に張設されている。そして、この張設された裸電線３ａ、裸電線３ｂに衝撃電圧発生装置５より発生された衝撃電圧が印加されている。
【０００５】
田畑に侵入しようとして、この張設された裸電線３ａもしくは裸電線３ｂに接触した猪等の害獣には図中の矢印線で示すように衝撃電圧発生装置５の出力端子６、出力線７、裸電線３ａ、上下結線４、裸電線３ｂ、猪８、地中９、アース棒１０、アース線１１、アース端子１２の順路で衝撃電流が流れ、猪８は電気ショックにより電撃を受け、田畑へ侵入する意欲を失い、侵入をあきらめる。
【０００６】
電気柵設置の場合、最も大切なのは張設された裸電線の地表面からの高さである。裸電線の地表面からの高さは、野生の動物の種類により最適な高さがある。動物の一般的な地表面からの高さは、表１の通りである。
【０００７】
【表１】
0003154328.tif 000003
【０００８】
表１のように、動物の種類により、裸電線の地表面からの最適な高さは違っている。
裸電線を張設する場合、対象動物により、地表面からの高さを最適な位置に調節する必要がある。
【０００９】
裸電線を張設するには、次の手順で作業を行う。（１）柱を地面に立設する。（２）立設された支柱に、碍子を取り付ける。（３）取り付けられたられた碍子の地表面からの高さを前述の表１のような最適に調節する。（４）最適な高さの位置に取り付けられた碍子に、裸電線を係止して張設する。
【先行技術文献】
【特許文献】
【００１０】
【特許文献１】特開２００７−３０５３０７号公報
【考案の概要】
【考案が解決しようとする課題】
【００１１】
裸電線を対象動物に対して最適な高さ張設するためには、碍子を最適な高さに取り付ける必要があるが、従来の支柱では、碍子を取り付ける際に碍子の最適取り付け高さを測定する必要があったため、碍子の取り付け作業に手間がかかっていた。
【００１２】
そこで、本考案は、電気柵の裸電線を最適な高さに張設するための碍子を、最適な高さの位置に手間を掛けることなく容易に取り付けることができる電気柵用支柱を提供するものである。
【課題を解決するための手段】
【００１３】
本考案は、電気柵を構成する電気柵用支柱であって、支柱の表面に碍子の取り付け位置を示す印を表示したことを特徴とする。
【００１４】
支柱の先端から碍子の取り付け位置の距離を表示し、猪用としては支柱の先端からの距離を１０ｃｍ毎に表示する。
【考案の効果】
【００１５】
本案の電気柵用支柱には、裸電線を張設するための碍子の取り付け位置が表示してあるので、極めて容易に最適の位置に碍子を取り付けることができる。したがって、猪や鹿などの動物ごとに裸電線を係止する碍子の地表面からの高さを、容易に最適にすることができる。
【図面の簡単な説明】
【００１６】
【図１】本考案の電気柵用支柱の全体図である。
【図２】本考案の電気柵用支柱において、１０ｃｍの表示と２０ｃｍの表示の一例を示す拡大図である。
【図３】電気柵の一例を示す概要図である。
【考案を実施するための形態】
【００１７】
本考案の実施例を、図面を参照しながら説明する。
【実施例】
【００１８】
本実施例は、猪侵入防止用として実施した例である。支柱の先端からの距離を表す目盛りが、１０ｃｍ間隔毎に表示してある。
【００１９】
本考案の電気柵用支柱を地面に立設する場合は、支柱の先端（２３）を地面にあてがい、支柱の頭部（２４）を木槌等で叩いて打ち込む。例えば、打ち込み深さを２０ｃｍと決定しておいた場合、２０ｃｍの目盛（３２）の部分が地表面と同一になるまで打ち込むことにより容易に所定のレベルに立設できる。
【００２０】
次に、立設された電気柵用支柱に碍子を取り付ける。例えば、猪用であるから、前記表１のように１段目は、地表面から２０ｃｍの位置が最適であるから、４０ｃｍの目盛が表示された位置、そして２段目は、地表面から４０ｃｍの位置が最適であるから、６０ｃｍの目盛が表示された位置に碍子を取り付ける。
【００２１】
そして、それらの碍子に裸電線を係止することにより、裸電線は１段目が地表面から２０ｃｍの高さ、２段目が地表面から４０ｃｍの位置に容易に張設できる。
【符号の説明】
【００２２】
１ａ，１ｂ：碍子
２：支柱
３ａ，３ｂ：裸電線
４：上下結線
５：衝撃電圧発生装置
６：出力端子
７：出力線
８：猪
９：地中
１０：アース棒
１１：アース線
１２：アース端子
２０：電気柵用支柱
２３：支柱の先端
２４：支柱の頭部
３１：１０ｃｍの目盛
３２：２０ｃｍの目盛
３３：３０ｃｍの目盛
３４：４０ｃｍの目盛
３５：５０ｃｍの目盛
３６：６０ｃｍの目盛
３７：７０ｃｍの目盛
３８：８０ｃｍの目盛
【図１】
0003154328.tif 000004
【図２】
0003154328.tif 000005
【図３】
0003154328.tif 000006
(57)【要約】      （修正有）【課題】基板と別体の支持板に貼り薬を付着させた後、該支持板を基板の表面に重合取付けられ、フィルムの剥離操作を含めた、補助具に対するテープ型貼り薬の取付け操作を簡単かつ確実に行えるテープ型貼り薬貼り付け補助具を提供する。【解決手段】適宜の長さのある把手４の先端に基板５を設け、該基板５の表面に面状ファスナー６で重合する支持板８の表面に、テープ型貼り薬ｄを剥離自在に止着する粘着材７を層設する。【選択図】図３
0003154325.tif 000002
【実用新案登録請求の範囲】
【請求項１】
適宜の長さのある把手の先端に基板を設け、該基板の表面に着脱手段で重合する支持板の表面に、テープ型貼り薬を剥離自在に止着する粘着材を層設した、テープ型貼り薬貼り付け補助具。
【請求項２】
着脱手段を面状ファスナーで構成した、請求項１記載のテープ型貼り薬貼り付け補助具。
【請求項３】
支持板をばね性の有る薄板で構成した、請求項１又は２記載のテープ型貼り薬貼り付け補助具。
【考案の詳細な説明】
【技術分野】
【０００１】
本考案は、手の届かない個所に貼り薬を貼り付ける際に用いるテープ型貼り薬貼り付け操作補助具に関するものである。
【背景技術】
【０００２】
把手の先端の基材の片面に粘着材を塗布し、該粘着材にテープ型貼り薬を貼り付け、把手によって手の届かない個所に粘着材の性質を利用して貼り付けるようにした構造のものがある（例えば、特許文献１）。
【先行技術文献】
【特許文献】
【０００３】
【特許文献１】特開２００３−１３５６０５号公報
【考案の概要】
【考案が解決しようとする課題】
【０００４】
前記従来構造のものは、把手を利用したテープ型貼り薬を手の届かない個所に配することができるという点において利点を備えるものであるが、該把手の先端に設けた基材に粘着材を直接塗布（層設）した構成を採るため、該粘着材層を利用したテープ型貼り薬を基材に仮止め操作をするに際してのテープ型貼り薬からのフィルムの剥離操作が煩雑であり、また、粘着材の粘着機能の低減により、当該補助具全体が適用に耐え得ない状況となり、合理的でない。
【課題を解決するための手段】
【０００５】
適宜の長さのある把手の先端に基板を設け、該基板の表面に着脱手段で重合する支持板の表面に、テープ型貼り薬を剥離自在に止着する粘着材を層設したことを基本的手段とする。
【０００６】
この基本的手段に着脱手段を面状ファスナーで構成した点を付加することにより基板に対する支持板の着脱操作を容易に行え、延いては、テープ型貼り薬の補助具に対する取付け操作を円滑に行え、また、支持板をばね性の有る薄板で構成することにより支持板に粘着材を利用してテープ型貼り薬を付着させた後のフィルムの剥離操作を、支持板をばね性を利用して屈曲させることにより容易に行うことができ、使用勝手の良好なテープ型貼り薬貼り付け操作補助具を提供できる。
【考案の効果】
【０００７】
本考案によれば、基板と別体の支持板にテープ型貼り薬を付着させた後、該支持板を基板の表面に重合取付けるものであるから、フィルムの剥離操作を含めた、補助具に対するテープ型貼り薬の取付け操作を簡単かつ確実に行えるテープ型貼り薬貼り付け補助具を提供することができる。
【図面の簡単な説明】
【０００８】
【図１】一部欠截正面図。
【図２】縦断面図。
【図３】図２の拡大図。
【図４】支持材の説明図。
【図５】分解図。
【図６】使用状態の説明図。
【実施例】
【０００９】
本考案に係るテープ型貼り薬貼り付け補助具Ａは、補助具本体１と支持材２および蓋板３とで構成し、補助具本体１は、把手４の先端に方形状の基板５を把手４に対して交叉方向に傾斜させて設けたもので、基板５は主体部５ａの表面に面状ファスナー６の一方のファスナー部６ａを層設して構成したものである。
【００１０】
なお、把手の先端に三角形状のブロック片４ａを取付け、該ブロック片４ａの傾斜角度を利用して把手４に前記基板５を傾斜状に取付け、この傾斜角度を利用してテープ型貼り薬の貼り付け操作を容易に行えるようにしてある。
【００１１】
前記支持材２は、薄いステンレス板８ａの裏面に樹脂板８ｂを積層して構成した支持板８の裏面に、前記面状ファスナー６の他方のファスナー部６ｂを層設する一方、支持板８（ステンレス板８ａ）の表面に粘着材７の塗膜層を設け、また、支持板８の樹脂板８ｂの上下（長手）方向の両端に折り曲げ片８ｂ´，８ｂ´´を折り曲げ自在に連設して成り、折り曲げ片８ｂ´，８ｂ´´の表面には第二面状ファスナー９の一方のファスナー部９ａを層設し、前記蓋板３に層設した他方のファスナー部９ｂを止着するようにしてある。
【００１２】
前記蓋板３は合成樹脂製の主体板３ａの上下両端部の表面に前記第二面状ファスナー９の他方のファスナー部９ｂを取付けて構成し、支持材２の支持板８の表面に、該表面に層設した粘着材７の粘着性を利用して重ね合わせ、粘着材７層を被装し、該被装状態を支持材２側の、第二面状ファスナー９の一方のファスナー部９ａと、蓋板３側の他方のファスナー部９ｂを互いに止着することにより保持し、粘着材７の汚損、経時変化を防ぐものである。
【００１３】
そして、支持材２の支持板８の表面に設けた粘着材７の粘着力を利用してテープ型貼り薬ｄを主体シートにおいて貼り付け、支持材２の樹脂板８ｂに連設した折り曲げ片８ｂ´，８ｂ´´を折り曲げてテープ型貼り薬ｄの表面に重ね合わせ、該重ね合わせ状態を保持したまま、支持板８の中央が表面方向に突出するように、ステンレス８ａの屈曲変形を利用して支持板８を半円状に屈曲させると、テープ型貼り薬ｄの表面を分割状に被装していたフィルムｄ´は薬表面から分離し、フィルムｄ´の離脱操作が行われる。
【００１４】
そして、粘着材７を利用してテープ型貼り薬ｄを表面に貼り付けた支持材２の支持板８を面状ファスナー６を利用して基板５に止着し、把手４を保持して基板５を所要個所に配すると、折り曲げ片８ｂ´，８ｂ´´の先端の接触により当該個所が感得され、基板５を把手４により押圧すると、テープ型貼り薬ｄは粘着材７から外れ、所要個所に貼り付けられ、テープ型貼り薬ｄの貼り付け操作を終える。
【符号の説明】
【００１５】
４      把手
５      基板
６      面状ファスナー
７      粘着材
８      支持板
ｄ      テープ型貼り薬
【図１】
0003154325.tif 000003
【図２】
0003154325.tif 000004
【図３】
0003154325.tif 000005
【図４】
0003154325.tif 000006
【図５】
0003154325.tif 000007
【図６】
0003154325.tif 000008
(57)【要約】【課題】安定性に欠ける様々な調理容器に対応して、前記調理容器が傾いたり倒れたりするのを防止する転倒防止具を提供する。【解決手段】台部５と、台部５から上方に突設される支柱部６と、支柱部６の上端に設けられ調理容器８の把手８１を支持する支持部７と、を備えた支持台４である。【選択図】      図１
0003154314.tif 000002
【実用新案登録請求の範囲】
【請求項１】
台部と、台部から上方に突設される支柱部と、支柱部の上端に設けられ調理容器の把手を支持する支持部と、を備えた支持台であることを特徴とする調理容器の転倒防止具。
【請求項２】
支持部の台部からの高さを調節自在としてなることを特徴とする請求項１記載の調理容器の転倒防止具。
【考案の詳細な説明】
【技術分野】
【０００１】
本考案は、片手鍋等の安定性に欠ける調理容器が傾いたり倒れたりするのを防止する転倒防止具に関するものである。
【背景技術】
【０００２】
ガスコンロや電磁誘導加熱（ＩＨ）調理器等の加熱調理機器で調理をする際、鍋やフライパンといった調理容器を使用する。鍋等の調理容器は、形状や質量等、多種多様なものが存在し、中には片手鍋等のように非対称な形状をしていて、重心が調理容器の本体収容部の中心と一致しないものがあり、加熱部に載置した際に安定性を欠いて傾いたり倒れたりする惧れがあった。
【０００３】
このような安定性に欠ける調理容器を使用する場合、調理容器が傾いたり倒れたりしないように調理者が常時支えなければならず、調理者は調理容器を支えながら他の作業を行うこととなって作業が行い難くなり、調理作業の効率が下がってしまう。また、万一このような安定性に欠ける調理容器が傾いたり倒れたりすると、内容物がこぼれ、調理者や調理器具や周囲の建具等を汚損、損傷等させてしまう惧れがあった。
【０００４】
調理容器の転倒を防止するものとしては、例えば特許文献１に、転倒防止用支持脚を備えた鍋が開示されているが、調理容器（すなわち鍋）自体に転倒防止用支持脚を設けるものであり、様々な調理容器に対応することができないものであった。
【先行技術文献】
【特許文献】
【０００５】
【特許文献１】特開平９−２８５５８号公報
【考案の概要】
【考案が解決しようとする課題】
【０００６】
本考案は上記従来の問題点に鑑みて考案したものであって、その目的とするところは、安定性に欠ける様々な調理容器に対応して、前記調理容器が傾いたり倒れたりするのを防止する転倒防止具を提供することを課題とするものである。
【課題を解決するための手段】
【０００７】
上記課題を解決するために、請求項１記載の調理容器の転倒防止具は、台部５と、台部５から上方に突設される支柱部６と、支柱部６の上端に設けられ調理容器８の把手８１を支持する支持部７と、を備えた支持台４であることを特徴とする。
【０００８】
把手８１を支持することで、把手８１の重量により把手８１が下降して調理容器８が傾いたり倒れたりしまうのを防止することができる。
【０００９】
また、請求項２に記載の考案は、請求項１記載の考案において、支持部７の台部５からの高さを調節自在としてなることを特徴とする。
【００１０】
把手８１の高さが異なる様々な調理容器８に対応することができる。
【考案の効果】
【００１１】
本考案にあっては、安定性に欠ける様々な調理容器に対応して、前記調理容器が傾いたり倒れたりするのを防止することができて、調理容器の内容物がこぼれ、調理者や調理器具や周囲の建具等を汚損、損傷等させてしまうのを防止することができる。
【図面の簡単な説明】
【００１２】
【図１】本考案の一実施形態の調理容器の転倒防止具により把手が支持され、ガスコンロに載置された調理容器の全体斜視図である。
【図２】同上の支持台の斜視図である。
【考案を実施するための形態】
【００１３】
本考案では、図１に示すように、周方向の一部に把手８１が付いているために安定性を欠く調理容器８が対象となるもので、転倒防止具は、図１、図２に示すように、調理容器８の把手８１を支持する支持台４である。
【００１４】
支持台４は、台部５と、台部５から上方に突設される支柱部６と、支柱部６の上端に設けられる支持部７と、を備えている。
【００１５】
支柱部６は、複数の筒状部材６１〜６４を軸方向を上下方向として入れ子状に配置し、内外に隣接する内側の筒状部材６２、筒状部材６３、筒状部材６４を外側の筒状部材６１（筒状部材６２に対応）、筒状部材６２（筒状部材６３に対応）、筒状部材６３（筒状部材６４に対応）に対して上下動自在にしたものである。内外に隣接する外側の筒状部材６１〜６３には、内側の筒状部材６２〜６４が上方に所定の距離を移動した時にそれ以上の上方への移動を規制するストッパー（図示せず）が設けてあり、内側の筒状部材６２〜６４の外側の筒状部材６１〜６３からの抜け止めがなされている。また、内外に隣接する二つの筒状部材６１と６２、筒状部材６２と６３のうち外側の筒状部材６１、６２の上端部の近傍にネジ孔（図示せず）が螺設してあると共に、前記ネジ孔に内側の筒状部材６２、６３の外面を押さえる固定ネジ６１ａ、６２ａが螺合させてあり、外側の筒状部材６１、６２から内側の筒状部材６２、６３を所望の高さ突出させ、固定ネジ６１ａ、６２ａをネジ孔に螺進させて内側の筒状部材６２、６３の外面を押さえ付けて、内側の筒状部材６２、６３を外側の筒状部材６１、６２に対して位置固定する。このようにして、支柱部６の台部５からの突出高さを調節自在としている。
【００１６】
一番上の筒状部材６４の上端部には支持部７が固定してある。また一番上の筒状部材６４内には、支持部７を上方に付勢する付勢手段６５としてのばねが内装してある。ばねは、下端部が上から二番目の筒状部材６３に固定され、上端部が一番上の筒状部材６４の上端部を上方に付勢していて、一番上の筒状部材６４を介して支持部７を上方に付勢している。
【００１７】
支持部７は、上面が調理容器８の把手８１を受けて支持する受け面となるもので、本実施形態では受け面を上方に凹となる形状とし、受け面の底部付近で把手８１を支持することで、把手８１が側方に移動して受け面から脱落するのを防止している。
【００１８】
本実施形態においては、把手８１が重量により下降して調理容器８が傾いたり倒れてしまうのを、把手８１を支持して下降を阻止することで防止するものである。
【００１９】
また、調理容器８をごとく９２上に載置した時の把手８１の高さは調理容器８によって異なるが、支持部７の台部５からの高さを調節自在としているため、把手８１の高さの異なる様々な調理容器８に対応することができる。また、支持部７を上方に付勢する付勢手段６５を設けたことで、支持部７の台部５からの高さを厳密に調節しなくても、支持部７の受け面の底部の高さを、把手８１の高さから該把手８１の高さよりも若干高めまでの範囲内に設定することで、調理容器８が傾かないように把手８１を支持することができるため、高さの調節が容易となる。
【符号の説明】
【００２０】
４    支持台
５    台部
６    支柱部
６１〜６４  筒状部材
６５  付勢手段
７    支持部
８    調理容器
８０  本体収容部
８１  把手
９１  バーナ
９２  ごとく
【図１】
0003154314.tif 000003
【図２】
0003154314.tif 000004
(57)【要約】      （修正有）【課題】外れにくいかえしの付いたフック付チェーンを提供する。【解決手段】フック付チェーンのフックの内側に、滑りにくいかえしを付けたことを特徴とする。【選択図】図１
0003154269.tif 000002
【実用新案登録請求の範囲】
【請求項１】
フック付チェーンのフックの内側に、滑りにくいかえしを付けて、衝撃が与えられてもフックがチェーンから外れにくくした、吊り足場専用かえし付きフック付チェーン。
【考案の詳細な説明】
【背景技術】
【０００１】  現在使用されている吊り足場専用フック付チェーンは、フックの内側に何も付いていない為、衝撃などで滑りやすく外れやすい為、セットした上からガムテープでぐるぐる巻きに固定して使用している。
【考案を実施するための最良の形態】
【０００２】  フックの内側を１８０度カーブしきったところを深く削り、かえしの突起を作る。
【図面の簡単な説明】
【０００３】
【図１】  本考案にかかるかえし付きフック付きチェーン。
【符号の説明】
【０００４】  かえし付きフック付きチェーン                        １０
フックのかえし                                        １
【図１】
0003154269.tif 000003
(57)【要約】      （修正有）【課題】紛失しにくく使いやすい、おしゃれなカード入れを提供する。【解決手段】角に丸味をもたせた、ほぼ方形の厚紙１の下半分に両面厚紙の上にクッション材を介して布地に被せた、ポケット部２を厚紙１の左右端部と下辺で接合し、このポケット部２は、厚紙１に対して斜めにされていて、厚紙１とポケット部２の上辺に、スキ間３を生じさせ、カード６を入れる。そして厚紙１の頂部には、先端にクリップ４を取り付けたひも５が設けられていることを特微とする。【選択図】図１
0003154255.tif 000002
【実用新案登録請求の範囲】
【請求項１】
角に丸味をもたせたほぼ方形の厚紙（１）の下半分の両面にクッション材を介して布地を被せたポケット部（２）を厚紙（１）の左右端部と下辺で接合し、このポケット部（２）の上辺は厚紙（１）に対して斜になるようにし、厚紙（１）とポケット部（２）の上辺にスキ間（３）を生じさせ、そして厚紙（１）の頂部には、先端にクリップ（４）を取り付けたひも（５）が設けられていることを特微とするおしゃれなカード入れ。
【考案の詳細な説明】
【技術分野】
【０００１】本考案は、切符、交通カード、定期券、診察券の収納ケースに関するものである。
【背景技術】
【０００２】バッグの中に直接入れた時、他の収納物の間に入りこんでしまった時に不便を感じた。
【考案の開示】
【考案が解決しようとする課題】
【０００３】さがす手間を省き、バッグの口に、クリップで止める方法を用いる事でわかりやすくする。
【課題を解決するための手段】
【０００４】本考案のおしゃれなカード入れは、角に丸味をもたせたほぼ方形の厚紙１の、下半分の両面に、クッション材を介して布地を被せたポケット部２を厚紙１の左右端部と下辺で接合し、このポケット部２の上辺は厚紙１に対して斜めになるように、厚紙１とポケット部２の上辺にスキ間を生じさせ、そして厚紙１の頂部には先端にクリップ４を取り付けたひも５が、設けられている事を特微とする。【０００５】本考案で用いる厚紙１としては、定期券、交通カード、診察券などの大きさよりも、少し大きな寸法が良い。この厚紙１には全面に布を貼り合せて、おしゃれに美しくした方が良い。【０００６】本考案で用いるクッション材としては、手芸綿や、スポンジなどが挙げられるが、ふんわり感を出すためには、手芸綿を用いるのが好ましい。本考案で用いる布地としては、おしゃれ感を出すためには、キモノ地が良く、特にちりめん地が、手ざわり感、外観などからも好ましい。【０００７】クッション材に布地を被せて、ポケット部２を作り、これを上記厚紙１の左右端部と、下辺で接合するがこの時、接着剤と、アイロンを用いて、接合するのが良い。【０００８】このようにして厚紙１にポケット部２を取り付ければ、上辺にはスキ間３が生じて、カードを出し入れする事が出来る。
厚紙１に対して、ポケット部２は斜めになっているのがカードの出し入れに非常に便利であり、意匠的にアクセントがついて美しい。【０００９】本考案に用いるひも５は、美しさを保つためには、布製で、厚紙１と、ポケット部２との色あいが合うものが良い。このひも５の先端には、クリップ４をつける。このクリップは、本考案のカード入れの紛失を防ぐために、どこかに取りつけるための物であり、手でつまんで開口するものが良い。
【考案の効果】
【００１０】本考案は上述のような構成であるので、カードが入れやすく、取り出しやすい。何枚も入れる事が出来て、カードを紛失しにくく両面使用が出来る。ポケット部に用いる布地により、可愛らしく美しいものとなる。
【考案を実施するための最良の形態】
【実施例】
【００１１】以下添付図面に従って、実施例を説明する。
厚紙１として、角を丸くした縦１１ｃｍ、横８ｃｍの厚紙にちりめん地で片面をおおい、２枚用意した。ポケット部２は、手芸綿にちりめん地を被せて、片側の高さ８ｃｍ他側の高さ６ｃｍ巾８ｃｍのふんわりとしたポケット部２を作った。このようにして作ったポケット部２を片面が、ちりめん地でおおった１枚の厚紙１にポケット部２の上辺が厚紙１に対して斜めになるようにのせて、手芸綿の周囲の布地を厚紙の裏面に折り返して接着剤を用いて貼り、アイロンでおさえた。もう１枚の方の厚紙にもポケット部２を付けて、この２枚の厚紙の裏面同士を貼り合わせた。一つの方の厚紙１の頂部にクリップ４を付けた長さ２０ｃｍのひも５をループ状に取り付けた。【００１２】こうして作ったカード入れは、上辺厚紙１に対して、ポケット部２が斜めになっていて、スキ間３を生じ、ここにカード６を容易に入れる事が出来るものとなった。
【産業上の利用可能性】
【００１３】女性の方が好んで用いるカード入れとして普及する。
【図面の簡単な説明】
【００１４】
【図１】本考案のおしゃれなカード入れの実施例を示す正面図である
【符号の説明】
【００１５】１  厚紙
２  ポケット
３  スキ間
４  クリップ
５  ひも
６  カード
【図１】
0003154255.tif 000003
(57)【要約】【課題】  主に、室内飾り用の鯉のぼりセット等の鯉のぼり本体に電飾効果等を齎すことにある。【解決手段】  室内飾り用鯉のぼりセット等における鯉のぼり本体の胴体中に、フィルム風船を嵌脱自在に収容し、該鯉のぼりのフィルム風船へ空気を入れ、膨張させて、鯉のぼり本体の膨らみを保形させ、該フィルム風船における空洞に一定の間隔を存して複数個の発光ダイオードを配置せしめ、該発光ダイオードの発光により、前記鯉のぼり本体に電飾効果を齎すようにしたことを特徴とする。【選択図】図１
0003154271.tif 000002
【実用新案登録請求の範囲】
【請求項１】
室内飾り用鯉のぼりセット等における鯉のぼり本体の胴体中に、フィルム風船を嵌脱自在に収容し、該鯉のぼりのフィルム風船へ空気を入れ、膨張させて、鯉のぼり本体の膨らみを保形させ、該フィルム風船における空洞に一定の間隔を存して複数個の発光ダイオードを配置せしめ、該発光ダイオードの発光により、前記鯉のぼり本体に電飾効果を齎すようにしたことを特徴とする鯉のぼり。
【考案の詳細な説明】
【考案の詳細な説明】
【技術分野】
【０００１】  本考案は鯉のぼりに関し、本考案で謂う鯉のぼりは、室内飾り用鯉のぼりを指す。
【技術背景】
【０００２】  端午の節句を祝って飾る鯉のぼりは、屋外に飾るものが主流である。
【０００３】  従来、鯉のぼりは、屋外に飾る習慣があった。しかし、多様化した住宅事情や転居の多い昨今では、手間がかからず簡単に立てられる室内飾りタイプの鯉のぼりの需要が高まっている。
【０００４】  また、近年，生産され、販売されている屋外飾り用鯉のぼりや室内飾り用鯉のぼりは、目玉，鱗，ヒレ等を赤，青，黒等の捺染で施色し、この色彩を濃色から淡色へ順次変化させる、いわゆるボカシにすることで、目玉，鱗，ヒレ等の施色に立体感を醸し出したり、或いは、目玉，鱗，ヒレ等を赤，青，黒等に捺染で施色した鯉のぼりに、金色または銀色の光輝層を点状に転写・付着させ、立体的な色感を得るようにして高級感を醸し出すように作られている。
【０００５】  このように、従来の鯉のぼりは、生地素材，染め方法，色・柄・飾り方等に工夫の重点が注がれている。
【考案の開示】
【考案が解決しようとする課題】
【０００６】  本考案は、主として、室内飾り用鯉のぼりセットの飾り主体に供される鯉のぼり本体に新規な創作を加えることを目的としたものであり、詳しくは、室内飾り用鯉のぼりセットにおける鯉のぼり本体の胴体中に、フィルム風船を嵌脱自在に収容し、該鯉のぼりのフィルム風船へ空気を入れ、膨張させて鯉のぼり本体の膨らみ具合を端正な形態に保形せしめ、かつ、該フィルム風船における空洞に一定の間隔を存して、複数個の発光ダイオード（発光体）を配置し、該発光ダイオードの発光により前記鯉のぼり本体に電飾効果等を付与させるようにしたことを特徴としている。
【考案を解決するための手段】
【０００７】  即ち、本考案は、室内飾り用鯉のぼり本体の胴体中に、フィルム風船を嵌脱自在に収容し、該鯉のぼりのフィルム風船へ空気を入れ、膨張させて、鯉のぼり本体の膨らみ具合を端正な形態に保形せしめる特徴と、該フィルム風船における空洞に一定の間隔を存して複数個の発光ダイオード（発光体）を配置せしめ、前記鯉のぼり本体に電飾効果等を持たせる特徴を併有している（請求項１）。
【考案の効果】
【０００８】  本考案は、請求項１に記載するような形態で実施され、以下に記載させるような効果を奏する。
【０００９】  即ち、本考案にあっては、室内飾り用鯉のぼりセットの主体となる鯉のぼり本体の胴体中に空気入りフィルム風船を収容するので、該鯉のぼり本体の膨らみ具合を端正な形態に保形できるという効果がある。
【００１０】  また、本考案は、前記フィルム風船の空洞に赤色，青色，緑色などの発光ダイオード（発光体）を複数個配置するので、該発光ダイオードが発光する赤，青，緑などの光彩がフィルム風船を透して鯉のぼり本体を構成する生地の加工面に映え、前記鯉のぼり本体に電飾効果を奏し、結果として、該鯉のぼり本体自体に今までの室内飾り用鯉のぼりにない外観，体裁，色感，美観等が得られ、斬新性に富み、且つ豪華で高級感があり、商品価値の高い室内飾り用の鯉のぼりセットを提供することができる。
【考案を実施するための最良の形態】
【００１１】  以下、本考案の実施例説明を、図１に基き説明する。【００１２】  図１は、綿，ナイロン，ポリエステル，アクリル等を使用生地として縫製される鯉のぼりセットの鯉のぼり本体を示し、該鯉のぼり本体１の胴体２中に、該鯉のぼり本体１の保形を可能にする空気入りフィルム風船３が嵌脱自在に収容される。【００１３】  前記フィルム風船３の空洞４には、一定の間隔を存して、複数個からなる赤，青，緑色発光ダイオード（発光体）５が配置され、該発光ダイオード５（発光体）の電源として宅内電源，電池等が用いられ、例えば、スイッチ（図示しない。）の接点をオン・オフ等することで、発光ダイオード（発光体）５を点灯，消灯させることができる。【００１４】  図面符号６はリード線を示している。【００１５】  上記した鯉のぼりセットとは、台盤に支立する一本の木製ポールの先端に矢車を取り付け、ロープに吹流しと鯉のぼり本体三匹を飾るタイプのものをいう。【００１６】  尚、本考案において、室内飾り用鯉のぼりとは、室内配置型タイプのものを指すが、壁掛けタイプの鯉のぼりにも実施可能である。
【図面の簡単な説明】
【図１】  本考案に係る鯉のぼり本体の構造説明図である。
【符号の説明】  １  鯉のぼりセット用鯉のぼり本体
２  鯉のぼり本体の胴体
３  フィルム風船
４  フィルム風船の空洞
５  発光ダイオード（発光体）
６  リード線
【図１】
0003154271.tif 000003
(57)【要約】      （修正有）【課題】板オモリの巻きはがれを防ぐみぞ付き中通しオモリ軸を提供する。【解決手段】中通しオモリ軸に板オモリ巻き部を設け、前記板オモリ巻き部に板オモリのさしみぞとしぼり部を設けた。巻き付けた板オモリ幅の両端をしぼり部に沿い押しかためることができる。【選択図】図１
0003154276.tif 000002
【実用新案登録請求の範囲】
【請求項１】
中通しオモリ軸に板オモリ巻き部を設け、前記板オモリ巻き部に板オモリのさしみぞとしぼり部を設けた構成にしたことを特徴とするみぞ付き中通しオモリ軸。
【考案の詳細な説明】
【技術分野】  本考案は、中通しオモリ軸に巻き付けた板オモリの巻きはがれを防ぐみぞ付き中通しオモリ軸に関するものである。
【背景技術】  従来、へら鮒釣りのウキバランス調整に、中通しオモリ軸に板オモリを巻き付けてバランスをとる方法がある。中通しオモリ軸は、板オモリを巻く軸とその軸の両端に壁を設けて両端の壁の幅にあった板オモリを巻き付ける。また、板オモリの巻き量も軸の両端の壁からはみださないようにする。
【考案の開示】
【考案が解決しようとする課題】  ところが板オモリの幅や巻き量が軸の両端の壁からはみだすと、へら鮒釣りの最中にへら鮒がハリに掛かった瞬間、竿の合わせショックで巻き付けた板オモリの巻きはがれのおこることがある。また、流れのある釣場で、水底にオモリを置いて釣るドボン仕掛けに中通しオモリ軸に板オモリを巻き付ける場合、流れの強さで重量を増すことに軸の両端の壁をはみだして板オモリを巻き付けることが多くなり、そのことが板オモリの巻き過ぎとなり巻きはがれのおこる問題がおきる。
【課題を解決するための手段】  本考案は、中通しオモリ軸に板オモリ巻き部を設け、前記板オモリ巻き部に板オモリのさしみぞとしぼり部を設けた構成にしたことを特徴とするみぞ付き中通しオモリ軸を提供するものである。
【考案の効果】  上述の様に、中通しオモリ軸に板オモリ巻き部を設け、前記板オモリ巻き部に板オモリのさしみぞとしぼり部を設けた構成にしたことにより、巻き付けた板オモリ幅の両端をしぼり部に沿い押しかためることができる。よって、へら鮒釣りの最中におこる板オモリの巻きはがれを防ぐ効果がある。また、さしみぞに板オモリをさして巻き付けることで板オモリのから回りを防ぐことにも役立つ。そのうえ板オモリの使用はウキバランス調整も可能にし、とくに流れのある釣場のドボン仕掛けに、流れの強弱で重量の増減に応じる本考案のみぞ付き中通しオモリ軸は打ってつけのものである。
【考案を実施するための最良の形態】  本考案のみぞ付き中通しオモリ軸は、中通しオモリ軸１に板オモリ巻き部２を設け、前記板オモリ巻き部２に板オモリのさしみぞ３としぼり部４、５を設けることで、へら鮒釣りの最中におこる板オモリの巻きはがれを防ぐように形成されている。
【実施例】  以下、添付図面にしたがって一実施例を説明する。金属加工やプラスチック成形の中通しオモリ軸１に板オモリ幅の両端がはみだす寸法に板オモリ巻き部２を設ける。前記板オモリ巻き部に板オモリ６の入るさしみぞ３と板オモリ６をしぼり押えのできる形状にしてしぼり部４、５を設ける。よって、板オモリ巻き部からはみだした板オモリ幅の両端はしぼり部の形状に沿い押しかためることができ、へら鮒釣りの最中に板オモリの巻きはがれを防ぐ効果がある。また、さしみぞ３に板オモリ６をさして巻くことでから回りを防ぐことにも役だつ。そのうえ板オモリを使うから重量調整も可能である。なお、使い方は従来の中通しオモリ軸のようにミチ糸７を通して上下をオモリ止め８、９で挟むものである。
【図面の簡単な説明】
【図１】本考案のみぞ付き中通しオモリ軸を示した斜視図である。
【図２】本考案のみぞ付き中通しオモリ軸の使用状態を示す斜視図である。
【符号の説明】１  中通しオモリ軸      ２  板オモリ巻き部      ３  さしみぞ
４、５  しぼり部        ６  板オモリ            ７  ミチ糸
８、９  オモリ止め
【図１】
0003154276.tif 000003
【図２】
0003154276.tif 000004
(57)【要約】      （修正有）【課題】持ちやすく、書くのに違和感が少なくて、清潔で取り扱いが簡単であり、鉛筆が非常に短くなるまで使うことができるエコ鉛筆サックを提供する。【解決手段】鉛筆サック内に３重位に巻いた薄いビニール系の紙状の物を貼り付け、鉛筆を右に回すと締まり、左に回すと緩むようにする。【選択図】図２
0003154275.tif 000002
【実用新案登録請求の範囲】
【請求項１】
鉛筆サック内に３重位に巻いた薄いビニール系の紙状の物を貼り付け、鉛筆を右に回すと締まり、左に回すと緩むようにしたエコ鉛筆サック。
【考案の詳細な説明】
【技術分野】
【０００１】  本考案は、短くなった鉛筆を長くするサックに関するものである。
【背景技術】
【０００２】  子どもの筆箱には短い鉛筆が入っており、市販のサックも使いにくいらしく、入っていても使っていなかった。短い鉛筆をもって書いている子どもの姿を見て、その書きにくそうなのを何とかしたいと考えた。
【考案の概要】
【考案が解決しようとする課題】
【０００３】  短い鉛筆を使いやすくするためとより短くなるまで使えるようにすること。また、指になじむサックの工夫と市販の鉛筆削り器で削れるようにすること。
【課題を解決するための手段】
【０００４】  本考案は、サック内部に締まる工夫をした。鉛筆を右に回すと締まり、左に回すと緩む。その工夫は、３重位に巻いた薄いビニール系の紙状の物をサック内に貼り付けたものである。また、サックは洗えるようプラスチック（少し柔らかめの弾力のあるもの）で作る。鉛筆の太さとあまりかわらないように作るので、市販の鉛筆削りで削ることができる。
【考案の効果】
【０００５】  上記のように、本考案は、持ちやすく、書くのに違和感が少なく、清潔で、取り扱いが簡単である。
【図面の簡単な説明】
【０００６】
【図１】本考案の鉛筆を入れたところの正面図である。
【図２】本サックの断面図である。
【考案を実施するための形態】
【０００７】  サックと鉛筆を持ち、鉛筆を静かに差込み、鉛筆を右に静かに回すと完全に止まる。緩むことがないので書きやすい。
【実施例】
【０００８】  以下、添付図面に従って実施例を説明する。図１は短くなった鉛筆をサックに入れたものである。サックの長さは８ｃｍである。図２は、断面図である。３重位に巻いた薄いビニール系の紙状の物をサック内に貼り付けたものである。
【図１】
0003154275.tif 000003
【図２】
0003154275.tif 000004
(57)【要約】      （修正有）【課題】鮮度を保持したまま長期保存が可能な、わらびの加工食品を提供する。【解決手段】新鮮な生のわらびを、適量の重曹を溶かした摂氏６０度の湯に１０分間漬して灰汁抜きした後、わらび１を湯から取り出し水洗いして冷やすとともに付着物を取り除き、耐水性を有する袋体２に収納し、さらに、袋体２内に水３を注入して満たし脱気したうえで密封して成したことを特徴とする。【選択図】図１
0003154274.tif 000002
【実用新案登録請求の範囲】
【請求項１】
新鮮な生のわらびを、適量の重曹を溶かした摂氏６０度の湯に１０分間漬して灰汁抜きした後、この該わらびを該湯から取り出し水洗いして冷やすとともに付着物を取り除き、耐水性を有する袋体に収納し、さらに、該袋体内に水を注入して満たし脱気したうえで密封して成したことを特徴とするわらびの加工食品。
【考案の詳細な説明】
【技術分野】
【０００１】  本考案は、わらびの加工食品に係り、特に、鮮度を保持したまま長期保存を可能にしたわらびの加工食品に関するものである。
【背景技術】
【０００２】  従来より、生のわらびは鮮度が落ちやすく日持ちしないことから、塩漬けや天日干し、水煮や漬け物等に加工したわらびの加工食品が数多く提供されている。
【考案の概要】
【考案が解決しようとする課題】
【０００３】  しかしながら、このようなわらびの加工食品にあって、生のわらびに近い新鮮みを保持して提供される商品は少なく、長期保存に於いても問題点を有していた。【０００４】  本考案は、上記従来有する問題点に鑑み、鮮度を保持したまま長期保存が可能な、わらびの加工食品を提供しようとするものである。
【課題を解決するための手段】
【０００５】  本考案に於いては、新鮮な生のわらびを、適量の重曹を溶かした摂氏６０度の湯に１０分間漬して灰汁抜きした後、この該わらび１を該湯から取り出し水洗いして冷やすとともに付着物を取り除き、耐水性を有する袋体２に収納し、さらに、該袋体２内に水３を注入して満たし脱気したうえで密封して成したことを特徴とすることで、鮮度と保存性の高いわらびの加工食品を提供できるようにした。
【考案の効果】
【０００６】  本考案によれば、新鮮な生のわらび特有の緑色や、ぬめり、歯触りなどが保持され、しかも、灰汁抜き済であることから、美味しいわらびをいつでも簡単に食すことができる。また、未開封の状態で冷蔵しておくことで長期の保存が可能である。
【図面の簡単な説明】
【０００７】
【図１】  本考案によるわらびの加工食品を示す平面図である。
【考案を実施するための形態】
【０００８】  以下、本考案の実施の形態について、図面を参照して説明する。
図１に示すように、本考案に於いては、新鮮な生のわらびを、適量の重曹を溶かした摂氏６０度の湯に１０分間漬して灰汁抜きした後、この該わらび１を該湯から取り出し水洗いして冷やすとともに付着物を取り除き、耐水性を有する袋体２に収納し、さらに、該袋体２内に水３を注入して満たし脱気したうえで密封して成したことを特徴とする。
【符号の説明】
【０００９】１    わらび
２    袋体
３    水
【図１】
0003154274.tif 000003
(57)【要約】      （修正有）【課題】２本の棒状の串に握り手部分を設けたことで、カツオのたたきが容易にできる串を提供する。【解決手段】カツオを四つ身にしたものの一つに、２本の棒状の串を頭部分方向から尾の方向に刺し、その握り手部分を持って火の上で回すことによりカツオのたたきができる。なお、素材はステンレス製が良い。【選択図】図３
0003154277.tif 000002
【実用新案登録請求の範囲】
【請求項１】
棒状の２本の串に握り手部分を設けたカツオのたたき作り用串。
【考案の詳細な説明】
【技術分野】
【０００１】  本考案は、２本の棒状の串部分末端に握り手部分を持ったカツオのたたき作り用串に関するものである。
【背景技術】
【０００２】  カツオのたたきを作るとき火の上に網を置き、その上にカツオの身を置いて炙って作っていた。この場合網の上で身をひっくり返す手間が必要であり又、網にこげ付いてひっくり返しにくくなったりしていた。
【考案の開示】
【考案が解決しようとする課題】
【０００３】  カツオの身を網の上でひっくり返す作業が必要であったが、火の上で直接身を串に刺したカツオを回すことで、前途の欠点を解決しようとするものである。
【課題を解決するための手段】
【０００４】  本考案は、棒状の串をカツオの身に刺し、握り手部分を持って火の上で回すことで問題を解決している。
【考案の効果】
【０００５】  上述の様に、考案のカツオのたたき作り用串を用いることで短時間にカツオのたたきができることに役立っている。
【考案を実施するための最良の形態】
【０００６】  カツオを四つ身にしたものの一つに、２本の棒状の串を図２に示すように頭部分方向から尾の方向に刺し、その握り手部分を持って火の上で回すことによりカツオのたたきができる。なお、素材はステンレス製が良い。
【実施例】
【０００７】  以下、添付図に従って実施例を説明する。１は棒状の串で四つ身にしたカツオの身の一つに串を刺す。次に２の握り手部分を持って火の上でカツオの身を回す。【０００８】  本考案の実施例は上述の如き構成からなるものであり、図３に示すようにカツオのたたき作りに用いられる。
【図面の簡単な説明】
【０００９】
【図１】本考案の正面図
【図２】実施例図１
【図３】実施例図２
【符号の説明】
【００１０】  １  串
２  握り手
【図１】
0003154277.tif 000003
【図２】
0003154277.tif 000004
【図３】
0003154277.tif 000005